(57)【要約】【課題】  電池ケースのカバー閉め忘れが生じても自動的にカバー閉め忘れを是正する。【解決手段】  離間した２つのヒンジ部１２、１３によって開閉可能に連結された第１本体部２及び第２本体部３と、２つのヒンジ部１２、１３間の第１本体部２に固定されヒンジ部１２、１３の回動軸に平行な軸を持つ半円筒形状の電池収納部１７と、第２本体部３側で電池収納部１７に回動可能に枢着された半円筒形状のカバー部材１８であって第２本体部３が第１本体部２に対して最も開いた位置から閉じられる方向に移動されたとき第２本体部３によって電池収納部１７を覆う方向に力が加わるカバー部材１８とを備える。【選択図】  図９
2005157730.tif 000002
【特許請求の範囲】
【請求項１】
離間した２つのヒンジ部によって開閉可能に連結された第１本体部及び第２本体部と、前記２つのヒンジ部の間の前記第１本体部に固定され前記ヒンジ部の回動軸に平行な軸を持つ半円筒形状の電池収納部と、前記第２本体部側で前記電池収納部に回動可能に枢着された半円筒形状のカバー部材であって前記第２本体部が前記第１本体部に対して最も開いた位置から閉じられる方向に移動されたとき前記第２本体部によって前記電池収納部を覆う方向に力が加わるカバー部材とを備えることを特徴とする折畳式電子機器。
【請求項２】
前記第２本体部を前記第１本体部に対して最も開いた位置にしたとき前記２本体部と前記カバー部材とが非接触となるように構成したことを特徴とする請求項１に記載の折畳式電子機器。
【請求項３】
前記第２本体部を前記第１本体部に対して１８０°開いた位置が前記最も開いた位置となることを特徴とする請求項１または請求項２に記載の折畳式電子機器。
【請求項４】
前記カバー部材の前記枢着された側の反対側先端部と前記電池収納部の前記第１本体部側との間にロック機構を備えることを特徴とする請求項１乃至請求項３のいずれかに記載の折畳式電子機器。
【請求項５】
前記電池収納部は、複数本の乾電池を直列に収納する大きさと、各乾電池間を仕切る隔壁と、前記隔壁に装着され前記隔壁によって仕切られる２つの乾電池間を電気的に接続する接続端子とを備えることを特徴とする請求項１乃至請求項４のいずれかに記載の折畳式電子機器。
【請求項６】
前記接続端子は、接触する乾電池のマイナス電極を押圧する形状を備えることを特徴とする請求項５に記載の折畳式電子機器。
【請求項７】
複数本の乾電池を直列に収納し隣接する乾電池間を仕切る隔壁が設けられた電池収納部と、前記隔壁に装着され隣接する一方の乾電池のプラス電極と他方の乾電池のマイナス電極とを電気的に接続する接続端子であって前記他方の乾電池のマイナス電極を押圧する形状を持った接続端子とを備えることを特徴とする電池ケース。
【発明の詳細な説明】
【技術分野】
【０００１】
本発明は、２つの本体部をヒンジ機構で連結し開閉可能に構成した折畳式電子機器に係り、特に、電源電池を電池ケース内に保持するカバー部材が本体部の閉動作によって確実に閉まる構造を持った折畳式電子機器に関する。
【背景技術】
【０００２】
電子書籍（電子ブック）等の電子機器は、携帯性が重視されるため、小型なものが求められる。このため、筐体自体を小さくすると共に、この小さな筐体に種々の電子部品を詰め込む必要が生じる。
【０００３】
そこで、下記特許文献１記載の折畳式の情報処理装置では、操作部及び表示部の２つの装置本体部を開閉自在に連結する円柱状のヒンジ機構部分の軸心に電池格納孔を貫通して設け、この電池格納孔に複数の電池を直列に収納し、電池格納孔の上下を夫々キャップ部材で閉塞する構成を取り、電源電池の収納場所とヒンジ機構部とを共用することで、省スペース化を図っている。
【０００４】
【特許文献１】特開平１１―３２７６８３号公報
【発明の開示】
【発明が解決しようとする課題】
【０００５】
電池が消耗したとき、何処の売店でも売っている新しい乾電池に交換できることは、携帯型の電子機器にとって非常に便利である。しかし、落ち着いて電池交換ができない場所、例えば通勤電車を待っている駅のホーム等で電池交換を行う場合も想定される。
【０００６】
このような場合、特許文献１記載の情報処理装置では、電池交換を行ってキャップ部材を装着する途中で慌てて通勤電車に乗車すると、キャップ部材の装着が不完全になってしまうことがあり、これに気付かずにいると、電気端子を兼用しているキャップ部材が脱落して情報処理装置が使用不可能になってしまうことがある。また、キャップ部材が脱落しなくても、ユーザがキャップ部材の装着が不完全であることに気付くまでキャップ部材の緩みが是正されることはなく、何時までもキャップ部材の脱落の虞が継続することになる。これは、電池を情報処理装置内に保持するキャップ部材が情報処理装置の他の部材の動作と連係して動作し、確実に閉まる構造になっていないためである。
【０００７】
本発明の目的は、電源電池を電池ケース内に保持するカバー部材の締め方が不完全であっても、２つの本体部を閉じたときに電池ケースのカバー部材が確実に閉められる構造を持った折畳式電子機器を提供することにある。
【課題を解決するための手段】
【０００８】
本発明の折畳式電子機器は、離間した２つのヒンジ部によって開閉可能に連結された第１本体部及び第２本体部と、前記２つのヒンジ部の間の前記第１本体部に固定され前記ヒンジ部の回動軸に平行な軸を持つ半円筒形状の電池収納部と、前記第２本体部側で前記電池収納部に回動可能に枢着された半円筒形状のカバー部材であって前記第２本体部が前記第１本体部に対して最も開いた位置から閉じられる方向に移動されたとき前記第２本体部によって前記電池収納部を覆う方向に力が加わるカバー部材とを備えることを特徴とする。
【０００９】
この構成により、カバー部材を閉め忘れても、本体部を閉めることで、自動的にカバー部材が閉まることになり、カバー部材の閉め忘れが自動的に是正される。
【００１０】
本発明の折畳式電子機器は、前記第２本体部を前記第１本体部に対して最も開いた位置にしたとき前記２本体部と前記カバー部材とが非接触となるように構成したことを特徴とする。
【００１１】
この構成により、折畳式電子機器を最も開かないとカバー部材を開くことができないため、不用意にカバー部材が開いてしまう事態を回避できる。
【００１２】
本発明の折畳式電子機器は、前記第２本体部を前記第１本体部に対して１８０°開いた位置が前記最も開いた位置となることを特徴とする。
【００１３】
この構成により、電池交換時にカバー部材を広く開けることができるため、電池交換が一層容易となる。
【００１４】
本発明の折畳式電子機器は、前記カバー部材の前記枢着された側の反対側先端部と前記電池収納部の前記第１本体部側との間にロック機構を備えることを特徴とする。
【００１５】
この構成により、カバー部材が不用意に開く事態を回避可能となる。
【００１６】
本発明の折畳式電子機器の前記電池収納部は、複数本の乾電池を直列に収納する大きさと、各乾電池間を仕切る隔壁と、前記隔壁に装着され前記隔壁によって仕切られる２つの乾電池間を電気的に接続する接続端子とを備えることを特徴とする。
【００１７】
この構成により、１つの１つの乾電池を独立に電池収納部に入れることができるため、片手による電池交換が容易となる。
【００１８】
本発明の折畳式電子機器の前記接続端子は、接触する乾電池のマイナス電極を押圧する形状を備えることを特徴とする。
【００１９】
この構成により、乾電池に加わる押圧力によって乾電池が浮き上がる虞がないため、端子による押圧力を高め電気接触をより高めることが可能となる。
【００２０】
本発明の電池ケースは、複数本の乾電池を直列に収納し隣接する乾電池間を仕切る隔壁が設けられた電池収納部と、前記隔壁に装着され隣接する一方の乾電池のプラス電極と他方の乾電池のマイナス電極とを電気的に接続する接続端子であって前記他方の乾電池のマイナス電極を押圧する形状を持った接続端子とを備えることを特徴とする。
【００２１】
この構成により、接続端子の押圧力によって乾電池が浮き上がることがなくなり、乾電池の装着が容易且つ確実となる。
【発明の効果】
【００２２】
本発明によれば、電池ケースのカバーを閉め忘れても、本体部の閉動作によって自動的にカバーが完全に閉められ、閉め忘れが是正される。
【発明を実施するための最良の形態】
【００２３】
以下、本発明の一実施形態について、図面を参照して説明する。
【００２４】
図１は、折畳式電子機器の一例である電子書籍の斜視図であり、１８０°開いた状態を示している。この電子書籍１は、３つの主要筐体で構成され、矩形平板状の右側本体部２と、矩形平板状の左側本体部３と、両者間に設けられる円筒状の電池ケース４とを備える。
【００２５】
右側本体部２と左側本体部３には、夫々、薄型表示装置たとえば記憶型液晶装置５、６が搭載され、右側本体部２の下辺部には４つの操作ボタン７、８、９、１０が設けられ、左側本体部３の左下隅には１個の操作ボタン１１が設けられている。
【００２６】
右側本体部２の左辺には、上下に離間する２つのヒンジ部１２、１３が突設されており、左側本体部３の右辺にも、上下に離間する２つのヒンジ部１４、１５が突設されている。そして、右側のヒンジ部１２、１３と左側のヒンジ部１４、１５とを夫々回動自在に連結することで、右側本体部２と左側本体部３とが開閉自在に結合される。
【００２７】
本実施形態の電子書籍１では、右側本体部２と左側本体部３とを結合するときにヒンジ部１２、１３間に形成される円柱状の空きスペースに、電池ケース４を取り付け、電子書籍１の省スペース化を図っている。
【００２８】
図２は、電池ケース４の分解図である。電池ケース４は、半円筒形状の電池収納部１７と、半円筒形状のケースカバー１８とからなる。電池収納部１７下部の周方向に偏奇した位置には、３つのボス部１９が設けられている。各ボス部１９には図示しないネジ孔が穿設されており、このネジ孔に図示しない雄ネジを通し、この電池収納部１７を、電池収納部１７外周面に整合する右側本体部２左辺の円弧面に固定する様になっている。
【００２９】
電池収納部１７は、一端部にマイナス端子２２を装着する第１端子装着部２３と、他端部にプラス端子２４を装着する第２端子装着部２５とを備える。第１端子装着部２３には、金属線を弾発コイル状に巻いたマイナス端子２２の端部をワンタッチで装着できるスロット２３ａが設けられており、第２端子装着部２５には、平面コイル状に巻かれたプラス端子２４をワンタッチで装着できるスロット２５ａが設けられている。
【００３０】
本実施形態に係る電池収納部１７は、単三乾電池を２個直列に収納する構成になっており、中央の隔壁２６により、第１電池収納室１７ａと第２電池収納室１７ｂとに分離されている。隔壁２６には、図３に拡大図を示す接続端子２７が装着され、接続端子２７が、図４に示す様に、第１電池収納室１７ａに収納される乾電池３０のプラス電極３０ａを、第２電池収納室１７ｂに収納される乾電池３１のマイナス電極３１ａに直列に接続する。
【００３１】
図３に示す接続端子２７は、乾電池のプラス電極が接触する平面コイル状に巻かれた端部２７ａと、乾電池のマイナス電極が接触する弾発バネ形状に巻かれた端部２７ｂと、両者を連結する曲げ部２７ｃとを備え、図５に示す様に、曲げ部２７ｃが設けられる隙間を隔壁２６に挿入すると共に平面コイル状の端部２７ａを隔壁２６に設けたスロット２６ａ内に挿入し、曲げ部２７ｃを、隔壁２６の側部に設けられた突起２６ｂに係合させることで、ワンタッチで隔壁２６に固定される。
【００３２】
半円筒形の板状のケースカバー１８は、図２に示す様に、ピン３３、３４により電池収納部１７に枢着される。ピン３３、３４の位置すなわちケースカバー１８の回動中心位置は、図１の右側本体部２から反対側すなわち左側本体部３側に設けられる。
【００３３】
図６は、ケースカバー１８が開いた状態における電池ケース４の隔壁２６箇所における横断面図である。ピン３３、３４（図６では点線で示す）により双頭矢印Ａ方向に回動自在に枢着されたケースカバー１８には、ヒンジ部１２、１３（図１参照）方向の端部かつ右側本体部２側方向の先端部において、内側から周方向に延びる短いラッチアーム３５、３６が形成されており、各ラッチアーム３５、３６の先端部には、外方に突出する突起３５ａ、３６ａが突設されている。
【００３４】
本実施形態では、図６にピン３４の位置を点線で示す様に、電池ケース４を上下に２分割する中央線４ａに対して、ピン位置（ケースカバー１８の回動中心位置）が、カバー１８の厚さのほぼ半分だけ上側となる様にしている。
【００３５】
電池収納部１７の第１端子装着部２３の外周壁部には、図２に示す様に、ケースカバー１８が閉じられたときにラッチアーム３５の通路となる切り欠き部２３ｂと、ラッチアーム３５の突起３５ａに係合する孔２３ｃとが形成されており、第２端子装着部２５の外周壁部にも、ラッチアーム３６の通路となる切り欠き部２５ｂと、突起３６ａに係合する孔２５ｃとが形成されている。ラッチアーム３５、３６と係合孔２３ｃ、２５ｃとによりケースカバー１８のロック機構が構成される。
【００３６】
ラッチアーム３５、３６の各付け根部におけるカバー１８外周壁には、複数の溝１８ａ、１８ｂが形成されており、この溝１８ａ、１８ｂを指先で押しながらケースカバー１８を開く方向に力を加えると、ラッチアーム３５、３６の突起３５ａ、３６ｂが、夫々孔２３ｂ、２５ｂから外れ、ケースカバー１８を開けることができる。
【００３７】
上述した電池ケース４は、折畳式の電子書籍１を組み立てるときに、先ず、右側本体部２のヒンジ部１２、１３間に電池収納部１７を図示しない雄ネジで固定し、次に、ピン３３、３４を用いてケースカバー１８を電池収納部１７に回動自在に装着する。そして、左側本体部３の右辺の円弧面を電池ケース４の外周面に整合させるようにして、右側本体部２のヒンジ部１２、１３に左側本体部３のヒンジ部１４、１５を回動自在に連結する。
【００３８】
電子書籍１の電池を交換する場合には、図１に示す様に、電子書籍１を１８０°開く。  折畳式電子書籍１の固定側となる右側本体部２に対して可動側の左側本体部３を１８０°開くことで、左側本体部３の表面位置が、図６に示す電池ケース４の中央線４ａ位置となり、ケースカバー１８の回動中心位置（ピン３３、３４位置）が左側本体部３の表面位置より上方に出る。即ち、左側本体部３がケースカバー１８と離間して非接触位置となり、ケースカバー１８を開くことが可能となる。
【００３９】
逆に言えば、電子書籍１を開いて書籍データを読んでいるときは、１８０°も開くことがないため、ケースカバー１８の回動中心位置は左側本体部３の表面位置より下方向となり、ケースカバー１８を開こうとしても、ケースカバー１８は左側本体部３の右辺の円弧面で抑えられ、開くことはできない。
【００４０】
図７は、ケースカバー１８を開いた状態の電子書籍の要部端面図であり、図８は、ケースカバー１８を完全に閉じた状態の電子書籍の要部断面図である。ケースカバー１８を完全に開けることで、図４に示す様に、電池を入れ替えることができる。電池を電池収納部１７に入れるとき、本実施形態では、電池を１つづつ夫々の電池収納室１７ａ、１７ｂに入れる構成としているため、装着後の電池が夫々の電池収納室１７ａ、１７ｂ内に確実に固定され、動くことはない。
【００４１】
２個の電池を直列に収納する従来の電池収納部は、本実施形態の隔壁２６と接続端子２７が存在せず、２つの電池が直接接触する構成のため、直接接触する部分が端子２２の弾発力で浮き上がってしまい、それを抑えながらカバーを閉める必要があり、片手で電池の入れ替えを行うのが難しかった。しかし、本実施形態では、電池を１つづつ確実に装着できるため、片手による電池交換が容易となる。また、従来の場合には、電池収納部内で常に端子２２の弾発力による電池の浮き上がり力が発生しているため、ケースカバーのロック機構を強靱な構造にして電池のケース外への飛び出しを抑制する必要があった。しかし、本実施形態では、電池の浮き上がり力は発生しないため、ラッチアーム３５、３６と係合孔２３ｃ、２５ｃとの係合力は小さくて済み、このため、ケースカバー１８の開け閉めが容易となる。
【００４２】
電池の交換が済み、ケースカバー１８を閉めるときに、ラッチアーム３５、３６を係合孔２３ｃ、２５ｃに確実に閉めることができなかったとする。即ち、ラッチアーム３５、３６の先端部の突起３５ａ、３６ｃが係合孔２３ｃ、２５ｃに係合しない状態で、ユーザがケースカバー１８を閉じたと認識してしまったとする。
【００４３】
この場合には、ユーザが電子書籍１を鞄などに入れるために、１８０°開いている可動側の左側本体部３の開き角を閉じようとして、図９に示す様に矢印Ｂ方向に移動させると、左側本体部３右辺の円弧面の肩部３ａが、ケースカバー１８の外周面に沿って移動しながらケースカバー１８を矢印Ｃ方向に押すことになる。
【００４４】
ラッチアーム３５、３６と係合孔２３ｃ、２５ｃとの係合力は上述した様に小さくて済み、ラッチアーム３５、３６を強靱な構造にする必要が無いため、左側本体部３の肩部３ａが矢印Ｃ方向にケースカバー１８を押す力によって、ケースカバー１８は破損することなく、容易に、ラッチアーム３５、３６が係合孔２３ｃ、２５ｃに係合する。
【００４５】
電子書籍１が完全に閉じなくても、ケースカバー１８やラッチアーム３５、３６の強度、突起３５ａ、３６ａの高さ等を適宜決めることで、１８０°開いている電子書籍１の表示データを読むために１６０°程度の開き角にしたとき、開いているケースカバー１８のラッチアーム３５、３６を係合孔２３ｃ、２５ｃに係合させることができる。
【００４６】
以上述べた様に、本実施形態にかかる電子書籍１は、電池ケースのケースカバーが完全に閉じられなかったとしても、電子書籍１を折り畳む動作に伴ってケースカバーが完全に閉じられる方向に力が加わり、自動的にケースカバーが閉じられる。
【００４７】
尚、上述した実施形態は、折畳式電子機器の一例として電子書籍を例に説明したが、本発明は電子書籍に限るものではなく、ノート型パソコンやコンパクトディスク装置等の他の種類の折畳式電子機器であれば適用可能である。
【産業上の利用可能性】
【００４８】
本発明は、電源電池の交換が容易となり、電池ケースのカバーの閉め忘れ等が生じても電子機器を折り畳むという動作によって自動的に電池ケースのカバーが完全に閉められるため、電子書籍やノート型パソコン等の折畳式電子機器に有用である。
【図面の簡単な説明】
【００４９】
【図１】本発明の一実施形態に係る電子書籍を１８０°開いた状態の斜視図
【図２】本発明の一実施形態に係る電池ケースの分解図
【図３】本発明の一実施形態に係る電池ケースに使用する接続端子の拡大図
【図４】本発明の一実施形態に係る電池ケースの説明図
【図５】本発明の一実施形態に係る電池ケースの要部破断拡大図
【図６】本発明の一実施形態に係る電池ケースの横断面図
【図７】本発明の一実施形態に係る電子書籍の電池ケースカバーを開いた状態の要部端面図
【図８】本発明の一実施形態に係る電子書籍の電池ケースカバーを完全に閉じた状態の要部断面図
【図９】本発明の一実施形態に係る電子書籍の電池ケースカバーを不完全に閉じた状態の要部断面図
【符号の説明】
【００５０】
１  電子書籍
２  右側本体部（固定側）
３  左側本体部（可動側）
４  電池ケース
５、６  記憶型液晶表示装置
１７  電池収納部
１７ａ、１７ｂ  電池収納室
１８  ケースカバー
２３ｃ、２５ｃ  係合孔
２２、２４、２７  端子
２６  隔壁
３０、３１  乾電池
３３、３４  ピン
３５、３６  ラッチアーム
３５ａ、３６ａ  突起
【図１】
2005157730.tif 000003
【図２】
2005157730.tif 000004
【図３】
2005157730.tif 000005
【図４】
2005157730.tif 000006
【図５】
2005157730.tif 000007
【図６】
2005157730.tif 000008
【図７】
2005157730.tif 000009
【図８】
2005157730.tif 000010
【図９】
2005157730.tif 000011